(57)【要約】【課題】  プリント材料へのコレクション印字および再プリントの作業効率を向上できる、プリント装置および情報設定方法を提供する。【解決手段】  プリント装置１０は、印画紙３８の表面に画像を形成し裏面にコレクション印字する装置であって、印画紙３８に形成すべきコレクション印字情報を設定するための入力部３６、設定されたコレクション印字情報を表示する表示部３２、および設定されたコレクション印字情報を印画紙３８の裏面に形成する印字ユニット４８を備える。設定されたコレクション印字情報は、印画紙３８に形成される前に表示部３２に表示される。【選択図】        図３
2005055577.tif 000002
【特許請求の範囲】
【請求項１】
プリント材料の一方主面に画像を形成し、他方主面にコレクション印字するプリント装置であって、
前記プリント材料に形成すべきコレクション印字情報を設定する設定手段、
前記設定手段によって設定されたコレクション印字情報を表示する表示手段、および
前記設定手段によって設定されたコレクション印字情報を前記プリント材料の他方主面に形成する印字手段を備える、プリント装置。
【請求項２】
プリント材料の主面に形成されるコレクション印字情報を設定するための情報設定方法であって、
前記プリント材料に形成すべきコレクション印字情報を設定する工程、および
設定されたコレクション印字情報を前記プリント材料に形成する前に表示手段に表示する工程を備える、情報設定方法。
【発明の詳細な説明】
【技術分野】
【０００１】
この発明は、プリント装置および情報設定方法に関し、より特定的には、プリント材料の裏面にコレクション印字する場合に用いられるプリント装置および情報設定方法に関する。
【背景技術】
【０００２】
写真プリント作成時には、プリント材料の表面に画像が露光され、裏面にコレクション印字（ＣＶＰ：Correction Value Print）が施される。プリント材料の裏面に形成されるコレクション印字情報は、焼き増し等同じコマ画像を複数回プリントする再プリントの作成時に、同様のプリントを作成するために必要な情報となる。
【０００３】
しかし、近年普及してきているいわゆるデジタル露光を利用したデジタルプリント装置では、いわゆる直接露光（アナログ露光）を利用したアナログプリント装置と比較して、多種のかつ高い自由度の画像処理を行うことができるため、コレクション印字情報の文字数が多くなり、プリント材料の裏面に全てを印字できない場合がある。この場合には、再プリントを作成する際に、オペレータが前回の画像処理情報等を的確に把握できず、前回のプリントと同様のプリントを再現できなくなる恐れがある。
【０００４】
この問題を解決するために、コレクション印字情報をコード化してプリント材料に形成する技術が提案されている（たとえば特許文献１参照）。
【特許文献１】特開２０００−１０２０７
【発明の開示】
【発明が解決しようとする課題】
【０００５】
しかし、この従来技術では、プリント材料に形成されるコレクション印字情報が意図したものになっているか否かは、実際にプリントを作成して確認しなければならず、コレクション印字情報が意図したものでなければプリントをやり直す必要がある。
また、すべてのコレクション印字情報を形成できたとしても、オペレータにとって不必要な情報が多ければ再プリント時の作業効率をかえって低下させる。
それゆえに、この発明の主たる目的は、プリント材料へのコレクション印字および再プリントの作業効率を向上できる、プリント装置および情報設定方法を提供することである。
【課題を解決するための手段】
【０００６】
上述の目的を達成するために、請求項１に記載のプリント装置は、プリント材料の一方主面に画像を形成し、他方主面にコレクション印字するプリント装置であって、プリント材料に形成すべきコレクション印字情報を設定する設定手段、設定手段によって設定されたコレクション印字情報を表示する表示手段、および設定手段によって設定されたコレクション印字情報をプリント材料の他方主面に形成する印字手段を備える。
【０００７】
請求項２に記載の情報設定方法は、プリント材料の主面に形成されるコレクション印字情報を設定するための情報設定方法であって、プリント材料に形成すべきコレクション印字情報を設定する工程、および設定されたコレクション印字情報をプリント材料に形成する前に表示手段に表示する工程を備える。
【０００８】
なお、「コレクション印字情報」とは、プリント材料へ施されるコレクション印字の内容をいい、バックプリントデータ、フィルム情報、プリンタ情報および画像処理情報等を含む。
【０００９】
請求項１に記載のプリント装置では、プリント材料の一方主面に形成される画像に対応するコレクション印字情報のうち、プリント材料の他方主面に印字すべき情報が事前に設定（選択）され表示手段に表示される。このとき、オペレータは表示手段に表示されたコレクション印字情報を視認でき、コレクション印字情報を必要に応じて編集できる。そして、所望のコレクション印字情報がプリント材料の他方主面に形成される。このようにコレクション印字情報を事前に編集し確認することによって、コレクション印字情報を確実に意図した内容で印字でき、コレクション印字情報の印字の作業効率が向上する。また、必要なコレクション印字情報だけを印字できるので、その後の再プリントの作業効率も向上する。
【００１０】
請求項２に記載の情報設定方法においても、コレクション印字情報を事前に編集し確認することによって、請求項１と同様の効果が得られる。
【発明の効果】
【００１１】
この発明によれば、コレクション印字情報を確実に意図した内容で印字でき、コレクション印字情報の印字の作業効率が向上する。また、その後の再プリントの作業効率も向上する。
【発明を実施するための最良の形態】
【００１２】
以下、図面を参照して、この発明の実施の形態について説明する。
図１を参照して、この発明の一実施形態のプリント装置１０は、スキャナ部Ｐ１およびプリント部Ｐ２を備える。
【００１３】
スキャナ部Ｐ１は、被露光媒体の一例であるたとえば２４０フィルム（ＡＰＳ（Advanced Photo System）フィルム）などのネガフィルム１２に向けて光を発する光源１４を含む。ネガフィルム１２は、搬送用ローラ１６によって搬送され、ネガマスク１８によってネガフィルム１２のコマ画像が位置決めされる。搬送用ローラ１６およびネガマスク１８は搬送ユニットであるネガキャリア２０内に一体的に組み込まれる。また、ネガキャリア２０内にはさらに、ネガフィルム１２に形成された撮影年月日、撮影時刻、コマナンバー等のフィルム情報を読み取るための磁気ヘッド２２が設けられる。
【００１４】
光源１４とネガフィルム１２との間には、光源１４から発せられた光をネガフィルム１２に導くためのミラートンネル２４が配置される。光源１４から発せられネガフィルム１２を透過した光の光路上に、ラインセンサ等である画像センサ２６が配置される。また、ネガフィルム１２と画像センサ２６との間には、ネガフィルム１２を透過した光を画像センサ２６に結像させるためのレンズ２８が配置される。
【００１５】
画像センサ２６に結像された光は、デジタルデータである画像データとして出力され、スキャナ部Ｐ１およびプリント部Ｐ２を統括的に制御するコントローラ３０に入力される。また、コントローラ３０には、磁気ヘッド２２で読み取られたフィルム情報も入力される。
【００１６】
コントローラ３０は、ＣＰＵバス（図示せず）で相互に接続されたＣＰＵ３０ａ、ＲＯＭ３０ｂおよびＲＡＭ３０ｃを含む。また、コントローラ３０には、モニタ等の表示部３２、ハードディスクドライブ（ＨＤＤ：ハードディスクを含む）等の記憶装置３４、およびオペレータによる種々の指示や設定を行うキーボードやマウス等の入力部３６が接続される。表示部３２には、プリント装置１０の操作を容易にするＧＵＩ（Graphical User Interface）や印画紙３８に形成すべき画像などが表示される。
【００１７】
ＣＰＵ３０ａは、ＲＯＭ３０ｂや記憶装置３４に記憶された各種のプログラムを実行し、データを処理し、プリント装置１０内の各構成要素に指示を与え、プリント装置１０の動作を制御する。
【００１８】
ＲＯＭ３０ｂは、起動用プログラム等を記憶している。起動用プログラムは、プリント装置１０の電源投入時にＣＰＵ３０ａによって実行される。これによって、記憶装置３４に記録されているオペレーティングシステム（ＯＳ）、画像処理プログラム等のプログラムがＲＡＭ３０ｃにロードされ、各種の処理や制御が実行可能となる。
【００１９】
ＲＡＭ３０ｃには、プリント装置１０を制御するプログラム等が展開され、プログラムによる処理結果、処理のための一時データ、表示部３２の画面上に情報を表示するための表示用データ（テキストデータ、画像データ等）等を保持し、ＣＰＵ３０ａの作業領域として使用される。ＲＡＭ３０ｃ上に展開された表示用データは、表示部３２に伝達され、表示部３２は、その画面上に表示用データに対応する表示内容（テキスト、画像等）を表示する。
【００２０】
記憶装置３４は、ＣＰＵ３０ａの指示に従って、プログラム、制御用データ、テキストデータ、画像データ等を、ハードディスクに対して記録しまたは読み出す。この実施形態では、記憶装置３４内のハードディスクに、プリント装置１０の動作のためのプログラムや画像処理プログラム、印字情報設定プログラムが格納されるとともに、印画紙３８に形成すべき画像の画像データおよび各画像に対応するコレクション印字情報のデータが記憶される。
【００２１】
プリント部Ｐ２は、プリント材料である長尺の印画紙３８が収納されるペーパーマガジン４０を含む。ペーパーマガジン４０に収納される印画紙３８は所定の経路に沿って引き出され、図示しないカッタによって適宜のサイズにカットされ、カット済みの印画紙３８が搬送用ローラ４２によって搬送される。搬送用ローラ４２は駆動モータ４４によって回転駆動され、駆動モータ４４はコントローラ３０によって制御される。
【００２２】
また、カット済みの印画紙３８の搬送経路上には、デジタル露光ヘッド４６および印字ユニット４８が配置される。デジタル露光ヘッド４６は、コントローラ３０から入力される画像データに基づく画像を印画紙３８の表面に露光し、画像（潜像）を形成する。デジタル露光ヘッド４６には、たとえば蛍光プリンタ、ＰＬＺＴ式プリンタまたはＣＲＴプリンタ等のヘッドが用いられる。印字ユニット４８は、コントローラ３０から入力されるコレクション印字情報データに基づいてコレクション印字情報を印画紙３８の裏面に印画紙３８の搬送方向に沿って印字する。印字ユニット４８には、たとえばドットインパクトプリンタが用いられる。
【００２３】
このように表面に露光されかつ裏面にコレクション印字された印画紙３８は、現像処理部５０で現像処理され、乾燥部５２で乾燥され、排出される。
【００２４】
図２に、ネガフィルム１２が２４０フィルムである場合の印画紙３８へのコレクション印字の一例を示す。
【００２５】
印字区分Ｐ１の印字情報１０１はバックプリントデータである。バックプリントデータは、図３に示す印字情報設定画面５４の設定区分Ｓ１のテキストボックス５６にオペレーターが任意に入力した文字列である。
【００２６】
印字区分Ｐ２の印字情報１０２〜１０６はフィルムに記録されたフィルム情報である。印字情報１０２〜１０６は、順に、写真撮影時に撮影者が入力したタイトルデータ、年月日、時刻、コマナンバー、プリントタイプである。
【００２７】
印字区分Ｐ３の印字情報１０７〜１１２はプリント装置の設定情報（プリンタ情報）である。印字情報１０７〜１１２は、順に、オーダーナンバー、チャンネルナンバー、プリント枚数、ＹＭＣＤ・スキャナ補正値、コピーライトマーク、テンプレートである。
印字区分Ｐ４の印字情報１１３〜１２５は画像処理情報である。印字情報１１３〜１２５は、順に、オートコントラスト（全体）、オートコントラスト（シャドー）、オートコントラスト（ハイライト）、シャープネス、彩度、粒状抑制、モアレ抑制、赤目補正、ソフトフォーカス、色調変換、クロスフィルタ、画像回転、拡大縮小である。
【００２８】
この実施形態では、印字区分Ｐ２の印字情報は上段に、印字区分Ｐ１，Ｐ３およびＰ４の印字情報は下段に印字される。
なお、実際の印字に際しては、図２に示すコレクション印字情報のすべてが常に印画紙３８に形成可能となるのではなく、印字される文字数は、印画紙３８の送り長さ等によって制限される。送り長さに対する印字可能な文字数は、たとえば表１に示すように設定される。
【００２９】
【表１】
2005055577.tif 000003
【００３０】
ここで、送り長さは、所定サイズに切断された印画紙３８の搬送方向寸法に相当する。
たとえば、Ｌ版（８９ｍｍ×１２７ｍｍ）サイズのプリントを作成する場合、印画紙３８の幅が１２７ｍｍであれば送り長さは８９ｍｍとなる。因みに、図２に示す印字例において、送り長さが８９ｍｍで、印字可能な文字数が５３文字であれば、印画紙３８の左端から破線Ａで示す辺りまでしかコレクション印字情報を形成できない。図２に示すコレクション印字情報は２４０フィルムの場合の一例にすぎず、２４０フィルムのコレクション印字情報はこれに限定されるものではない。なお、送り長さを変えると、印字されるフォントのサイズも変わるようにしてもよく、フォントサイズは印字情報ごとに変更できるようにしてもよい。
【００３１】
ついで、図３に示す印字情報設定画面５４について説明する。ここでは、２４０フィルムの場合の例を示す。
印字情報設定画面５４は表示部３２に表示され、印画紙３８の裏面に印字すべきコレクション印字情報を設定し表示するために用いられる。印字情報設定画面５４における項目の選択やデータ入力に応じて、コレクション印字情報の印字内容および印字態様が設定される。
【００３２】
設定区分Ｓ１はバックプリントデータの設定欄であり、チェックボックスにマークを入れることによって、テキストボックス５６に文字入力可能となる。ここで入力された文字列が図２に示す印字区分Ｐ１の印字情報１０１となる。
【００３３】
設定区分Ｓ２は、ネガフィルム１２に記録されたフィルム情報の設定欄であり、図２に示す印字区分Ｐ２の印字情報１０２〜１０６に対応する。
【００３４】
設定区分Ｓ３は、プリント装置の設定情報（プリンタ情報）の設定欄であり、図２に示す印字区分Ｐ３の印字情報１０７〜１１２に対応する。
【００３５】
設定区分Ｓ４は、画像処理情報の設定欄であり、図２に示す印字区分Ｐ４の印字情報１１３〜１２５に対応する。
【００３６】
また、フォントサイズはフォントサイズ設定欄Ｓ５で設定でき、小（等倍文字）または大（１．５倍角文字）のいずれかに設定される。
【００３７】
設定区分Ｓ１からＳ４で設定された（チェックボックスにマークが付された）項目のコレクション印字情報およびフォントサイズは、印字情報設定画面５４内の印字プレビュー表示欄５８に表示されるコレクション印字情報に即座に反映される。印字プレビュー表示欄５８での表示内容が、印画紙３８へコレクション印字したときの実際の内容および態様を表す。
【００３８】
なお、入力ソース設定欄Ｓ６によって、入力ソースが、１１０フィルム、１３５フィルムまたは２４０フィルム等のフィルムかその他の各種画像記録メディアかが設定される。入力ソースに応じて印字パターン、印字情報が変更され、表示内容も変わる。たとえば、１３５フィルムの印字情報は、バックプリントデータ、コマナンバー、プリント枚数、コピーライトマーク、オーダーナンバー、チャンネルナンバー、ＹＭＣＤ補正値、スキャナ補正値、回転角度、拡大縮小となり、印字情報設定画面５４はこれらの情報に対応した画面となる。
【００３９】
また、印画紙３８の送り長さは送り長さ設定欄Ｓ７によって設定される。
【００４０】
ついで、図４を参照して、プリント装置１０の主要動作について説明する。
図４（ａ）を参照して、画像処理動作について説明する。
オペレータの入力部３６からの指示に従って、記憶装置３４から画像データとともに画像処理プログラムが読み出されてＲＡＭ３０ｃに展開され、ＣＰＵ３０ａによって画像データに所定の画像処理が施され（ステップＳ１）、画像が表示部３２に表示される（ステップＳ３）。
【００４１】
オペレータは、表示部３２に表示された画像を確認し、画像が所望の画像状態か否かを判断する（ステップＳ５）。画像が所望の画像状態でなければ、ステップＳ１に戻り、所望の画像状態となるよう入力部３６を介して種々の画像処理を指示し、それに応じてＣＰＵ３０ａによって画像処理が施され、ステップＳ３において、画像処理後の画像が表示部３２に表示される。ステップＳ５において、表示画像が所望の画像状態と判断されるまで上述の処理が繰り返される。
【００４２】
ここで実行される画像処理としては、たとえば２４０フィルムの場合には、コントラスト補正等基本的な処理に加え、シャープネス処理、モノクローム仕上げやセピア仕上げを含む色調変換処理、ソフトフォーカス処理、クロスフィルタ処理、画像回転処理、拡大縮小処理等の、図３の設定区分Ｓ４に示す処理が含まれる。
【００４３】
ステップＳ５において、表示画像が所望の画像状態と判断されれば、たとえばオペレータの入力部３６からの指示に従って、その時点での表示画像に対応する画像データおよび画像処理情報のデータが記憶装置３４に格納され、終了する。
【００４４】
ついで、図４（ｂ）を参照して、印字情報設定動作について説明する。
オペレータの入力部３６からの指示に従って、記憶装置３４から印字情報設定プログラムとともに、フィルム情報、プリンタ情報および画像処理情報等のコレクション印字情報のデータが読み出され、表示部３２に印字情報設定画面５４が表示され、その画面上で入力ソースおよび送り長さが設定される（ステップＳ１１）。すると、入力ソースに対応する印字情報の設定区分が印字情報設定画面５４に表示され、その画面上でコレクション印字情報が設定される（ステップＳ１３）。ステップＳ１３において、オペレータによるチェックマークの付加・削除や文字入力、あるいはそれらの確認により、コレクション印字情報が設定されると、設定されたコレクション印字情報が印字情報設定画面５４内の印字プレビュー表示欄５８に表示される（ステップＳ１５）。この実施形態では、コレクション印字情報は設定されると即座に表示される。選択されなかった項目があると、その分のスペースを前に詰めてコレクション印字情報が表示される。
【００４５】
つづいて、オペレータは、印字プレビュー表示欄５８に表示されたコレクション印字情報がＯＫか否かを判断する（ステップＳ１７）。たとえば、コレクション印字情報が所望の内容、所望の態様か、印字すべきコレクション印字情報がすべて印字できるか等が判断される。表示されたコレクション印字情報がＯＫでなければステップＳ１３に戻り、再設定される。ステップＳ１７において、コレクション印字情報がＯＫであれば、印字情報設定画面５４のＯＮボタン６０を押すことによって、コレクション印字の内容が確定され、そのデータが記憶装置３４に格納され、終了する。
【００４６】
その後のプリント処理では、印画紙３８の表面に対して、設定された画像がデジタル露光ヘッド４６によって露光され、印画紙３８の裏面に対して、設定されたコレクション印字情報が印字ユニット４８によって印字される。その後、現像処理、乾燥処理を経て、プリントが排出される。
【００４７】
プリント装置１０によれば、オペレータは表示部３２に表示されたコレクション印字イメージを見ながら、印字情報の印字のオン／オフや内容変更を設定でき、その設定変更が即座に表示部３２の画面上の印字イメージに反映される。そして、所望の内容、所望の印字態様に編集されたコレクション印字情報を印画紙３８の裏面に印字できる。
【００４８】
このように、複雑なコレクション印字情報を事前に編集し確認することによって、コレクション印字情報を確実に意図した内容でかつ視認しやすい態様で印字できる。したがって、コレクション印字情報の印字が途切れることも、印字情報を確認するために実際にプリントを作成する必要もなく、コレクション印字情報の印字の作業効率が向上する。
【００４９】
また、必要なコレクション印字情報だけを印字できるので、オペレータは印字情報を容易にかつ迅速に把握でき、その後の焼き増し等の再プリントの作業効率も向上する。
【００５０】
なお、印字情報の設定はオーダーごとに行ってもよいし、コマごとに行ってもよい。
【００５１】
また、この発明は、アナログプリント装置や、長尺のプリント材料に連続的に画像を形成した後一旦巻き取るタイプのプリント装置にも適用することができる。
【００５２】
さらに、この発明で用いられるプリント材料は、印画紙に限定されず、布やプラスチックフィルム等であってもよい。
【図面の簡単な説明】
【００５３】
【図１】この発明の一実施形態を示すブロック図である。
【図２】印画紙の裏面に印字されるコレクション印字情報の一例を示す図解図である。
【図３】印字情報設定画面の一例を示す図解図である。
【図４】図１の実施形態の動作の一例を示すフロー図である。
【符号の説明】
【００５４】
１０      プリント装置
３０      コントローラ
３２      表示部
３４      記憶装置
３６      入力部
３８      印画紙
４６      デジタル露光ヘッド
４８      印字ユニット
５４      印字情報設定画面
５８      印字プレビュー表示欄
Ｐ１      スキャナ部
Ｐ２      プリント部
【図１】
2005055577.tif 000004
【図２】
2005055577.tif 000005
【図３】
2005055577.tif 000006
【図４】
2005055577.tif 000007